(57)【特許請求の範囲】
【請求項１】
車体前部においてパワーユニットを車幅方向に挟んで配置され、前後方向にほぼ沿って伸びたフロントサイドフレームと、
前記フロントサイドフレームの前端部近傍における車幅方向外側に配置され、後端部が前記フロントサイドフレームの車幅方向外側の側部における前記パワーユニットの前後方向中央部よりも車両前方側となる箇所に固定され、前端部が前記後端部に対して車両前方側かつ車幅方向外側に配置された荷重伝達部材とを備え、
前記荷重伝達部材の前記前端部に対する車両後方側への荷重入力により、前記フロントサイドフレームにおける前記後端部との固定箇所近傍の領域を、前記パワーユニットに近接する方向へ変位させ、
前記フロントサイドフレームの車幅方向外側の側部における前記荷重伝達部材の前記後端部との固定箇所に対して後方側に隣接して配置され、前記フロントサイドフレームの屈曲を促進する剛性変化部を形成し、
前記フロントサイドフレームにおける前記荷重伝達部材の前記後端部との固定箇所と隣接する箇所に、前記フロントサイドフレームの内部を実質的に閉塞するセパレータを設け、
前記剛性変化部は前記セパレータよりも車両後方側に設けられること
を特徴とする車体前部構造。
【請求項２】
前記パワーユニットと前記フロントサイドフレームとの間にわたして設けられ前記パワーユニットを支持するマウント部を備え、
前記荷重伝達部材の前記後端部と前記マウント部との車両前後方向における位置を実質的に一致させたこと
を特徴とする請求項１に記載の車体前部構造。
【請求項３】
前記荷重伝達部材の前記前端部は、フロントバンパビームの後面部に対して間隔をおいて対向して配置されること
を特徴とする請求項１又は請求項２に記載の車体前部構造。
【請求項４】
前記フロントサイドフレームの下方側に固定されるフロントサブフレームを有し、
前記フロントサブフレームの車両前方側における前記フロントサイドフレームとの固定箇所に対して、前記フロントサイドフレームと前記荷重伝達部材の前記後端部との固定箇所を車両後方側に配置したこと
を特徴とする請求項１から請求項３までのいずれか１項に記載の車体前部構造。
【発明の詳細な説明】
【技術分野】
【０００１】
本発明は、自動車等の車両の車体前部構造に関し、特にスモールオーバーラップオフセット衝突に対する性能を向上したものに関する。
【背景技術】
【０００２】
自動車等の車両の車体構造において、車両が障害物に対して部分的に衝突するオフセット衝突に対する安全性を向上することが要望されている。
特に、近年ではオフセット衝突のうち、車両の車幅方向における端部にのみ障害物が衝突するいわゆるスモールオーバーラップの衝突に対する性能向上が求められている。
【０００３】
車両前部全面で衝突するフルラップ衝突や、比較的オーバーラップ量が大きいオフセット衝突においては、エンジンルーム側部で車両前後方向に伸びて配置されたフロントサイドフレームの前部を用いて、エネルギの吸収や車両後方への荷重伝達が可能である。
しかし、フロントサイドフレームの外側のみに障害物が衝突するようなスモールオーバーラップオフセット衝突の場合には、フロントサイドフレームの前端部に依存することなくエネルギの吸収及び伝達が可能な構造が必要となる。
【０００４】
車体のサイドフレームよりも外側の領域における強度向上技術として、例えば特許文献１には、前輪の後部に設けられるクロスメンバの後面部と、それより後方側のサイドフロアフレームとの間を、斜めに配置されたレインフォースメントによって連結することが記載されている。
【先行技術文献】
【特許文献】
【０００５】
【特許文献１】実開昭６３−１４５７６４号公報
【発明の概要】
【発明が解決しようとする課題】
【０００６】
しかし、上述した従来技術のようにキャビン自体の強化によって十分な対衝突性能を得ようとした場合、フロントサイドフレームに依存せずに荷重伝達やエネルギの吸収を行うことが必要となるため、車体重量やコストの大幅な増加が問題となり、走行性能や燃費性能も損なわれてしまう。
本発明の課題は、簡素かつ軽量な構成によってスモールオーバーラップオフセット衝突に対する性能を向上した車体前部構造を提供することである。
【課題を解決するための手段】
【０００７】
本発明は、以下のような解決手段により、上述した課題を解決する。
請求項１に係る発明は、車体前部においてパワーユニットを車幅方向に挟んで配置され、前後方向にほぼ沿って伸びたフロントサイドフレームと、前記フロントサイドフレームの前端部近傍における車幅方向外側に配置され、後端部が前記フロントサイドフレームの車幅方向外側の側部における前記パワーユニットの前後方向中央部よりも車両前方側となる箇所に固定され、前端部が前記後端部に対して車両前方側かつ車幅方向外側に配置された荷重伝達部材とを備え、前記荷重伝達部材の前記前端部に対する車両後方側への荷重入力により、前記フロントサイドフレームにおける前記後端部との固定箇所近傍の領域を、前記パワーユニットに近接する方向へ変位させ、前記フロントサイドフレームの車幅方向外側の側部における前記荷重伝達部材の前記後端部との固定箇所に対して後方側に隣接して配置され、前記フロントサイドフレームの屈曲を促進する剛性変化部を形成し、前記フロントサイドフレームにおける前記荷重伝達部材の前記後端部との固定箇所と隣接する箇所に、前記フロントサイドフレームの内部を実質的に閉塞するセパレータを設け、前記剛性変化部は前記セパレータよりも車両後方側に設けられることを特徴とする車体前部構造である。
これによれば、スモールオーバーラップ衝突時に、荷重伝達部材の前端部に荷重が入力されることにより、フロントサイドフレームを屈曲変形させて内側面部によってエンジン等のパワーユニットを車幅方向における反対側に押すことができる。
車両は、重量物であるパワーユニットが衝突対象物とは反対側へ押されることによって、衝突対象物を回避する方向に進行方向を変える。
このような車両の挙動によって、乗員が搭乗するキャビンへの入力低減を図ることができる。
また、フロントサイドフレームを屈曲変形させることによって、エネルギ吸収効果を
得ることができる。
【０００８】
また、前記フロントサイドフレームの車幅方向外側の側部における前記荷重伝達部材の前記後端部との固定箇所に対して後方側に隣接して配置され、前記フロントサイドフレームの屈曲を促進する剛性変化部を形成したことによって、スモールオーバーラップオフセット衝突時に、フロントサイドフレームを所定の変形モードに従って屈曲させ、上述した効果を確実に得ることができる。
このような剛性変化部として、例えば、フロントサイドフレームの側面部を凹ませて形成され、上下方向にほぼ沿って延在するビード状の溝部等を用いることができる。
また、前記フロントサイドフレームにおける前記荷重伝達部材の前記後端部との固定箇所と隣接する箇所に、前記フロントサイドフレームの内部を実質的に閉塞するセパレータを設けたことによって、荷重伝達部材からパワーユニットへ荷重を伝達する箇所のフロントサイドフレームの断面形状拘束を強化し、剛性を高めて、上述した効果を促進することができる。
【０００９】
請求項２の発明は、前記パワーユニットと前記フロントサイドフレームとの間にわたして設けられ前記パワーユニットを支持するマウント部を備え、前記荷重伝達部材の前記後端部と前記マウント部との車両前後方向における位置を実質的に一致させたことを特徴とする請求項１に記載の車体前部構造である。
これによれば、フロントサイドフレームの屈曲によってマウント部を車幅方向内側に押すことによって、上述した効果を確実に得ることができる。
【００１１】
請求項３の発明は、前記荷重伝達部材の前記前端部は、フロントバンパビームの後面部に対して間隔をおいて対向して配置されることを特徴とする請求項１又は請求項２に記載の車体前部構造である。
これによれば、車両が微低速で衝突する軽衝突時に、荷重伝達部材に荷重が入力されてフロントサイドフレーム等にダメージを与えることがなく、修理の容易化及び修理コスト低減を図ることができる。
【００１２】
請求項４の発明は、前記フロントサイドフレームの下方側に固定されるフロントサブフレームを有し、前記フロントサブフレームの車両前方側における前記フロントサイドフレームとの固定箇所に対して、前記フロントサイドフレームと前記荷重伝達部材の前記後端部との固定箇所を車両後方側に配置したことを特徴とする請求項１から請求項３までのいずれか１項に記載の車体前部構造である。
これによれば、上述したフロントサイドフレームの屈曲変形等がフロントサブフレームによって阻害されることを防止し、上述した効果を確保することができる。
【発明の効果】
【００１３】
以上説明したように、本発明によれば、簡素かつ軽量な構成によってスモールオーバーラップオフセット衝突に対する性能を向上した車体前部構造を提供することができる。
【図面の簡単な説明】
【００１４】
【図１】本発明を適用した車体前部構造の実施例１を車両上方から見た模式的平面図である。
【図２】実施例１の車体前部構造を車幅方向外側の斜め上方かつ斜め後方から見た斜視図である。
【図３】実施例１の車体前部構造のスモールオーバーラップオフセット衝突時の挙動を示す図であって、衝突直前の状態を示す図である。
【図４】実施例１の車体前部構造のスモールオーバーラップオフセット衝突時の挙動を示す図であって、衝突直後の状態を示す図である。
【図５】実施例１の車体前部構造のスモールオーバーラップオフセット衝突時の挙動を示す図であって、図４の状態の後の状態を示す図である。
【図６】実施例１の車体前部構造のスモールオーバーラップオフセット衝突時の挙動を示す図であって、図５の状態の後の状態を示す図である。
【図７】本発明を適用した車体前部構造の実施例２の構成を示す模式的平面図である。
【図８】本発明を適用した車体前部構造の実施例３の構成を示す模式的平面図である。
【発明を実施するための形態】
【００１５】
本発明は、簡素かつ軽量な構成によってスモールオーバーラップオフセット衝突に対する性能を向上した車体前部構造を提供する課題を、フロントフレーム前部の車幅方向外側に、衝突時の入力によってフロントサイドフレームを車幅方向内側に屈曲させる荷重伝達ガセットを設けて、フロントサイドフレームを介してエンジン等のパワートレーンを反対側のフロントサイドフレーム側へ押圧し、車体の進行方向を制御することによって解決した。
【実施例１】
【００１６】
以下、本発明を適用した車体前部構造の実施例１について説明する。
実施例１の車体前部構造は、例えば、車両前部に例えばエンジン等のパワートレーンが搭載される乗用車等の車体に設けられるものである。
図１は、実施例１の車体前部構造を車両上方から見た模式的平面図である。
図２は、実施例１の車体前部構造を車幅方向外側の斜め上方かつ斜め後方から見た斜視図である。
【００１７】
車両は、エンジン１０、トランスミッション２０、キャビン３０、フロントサイドフレーム４０、ラジエータパネル５０、バンパビーム６０、フロントサブフレーム７０、フロントホイール８０、フロントサスペンション９０等を有する。
【００１８】
エンジン１０は、一例として、縦置き搭載された水平対向４気筒のガソリン又はディーゼルエンジンである。
エンジン１０は、クランクシャフトを挟んで左右に配置されたシリンダブロックの端部（エンジン１０の側端部）に設けられたシリンダヘッドを備えている。
【００１９】
トランスミッション２０は、エンジン１０の後部に結合されたトランスミッションケース内に、トルクコンバータ又はクラッチ等の発進デバイス、ＣＶＴバリエータ又は変速ギヤ列等の変速装置、前後輪に駆動力を配分するＡＷＤトランスファ、最終減速装置、フロントディファレンシャル等を収容して構成されている。
【００２０】
キャビン３０は、車両の中央部に設けられ乗員が搭乗する部分である。
キャビン３０は、フロアパネル３１、トーボード３２、フロアトンネル３３、Ａピラー３４、サイドシル３５等を有して構成されている。
【００２１】
フロアパネル３１は、キャビンの床面を構成する実質的に平面状の部分である。
トーボード３２は、フロアパネル３１の前端部から上方へ立ち上げて配置された面部であって、キャビン３０の前面部（キャビン３０とエンジンルームとの隔壁部）を構成する部分である。
フロアトンネル３３は、フロアパネル３１の車幅方向における中央部を上方（車室内側）に張り出させて形成され、内部にトランスミッションの後部、プロペラシャフト、排気管などが収容されるものである。
Ａピラー３４は、フロアパネル３１の左右側端部における前端部から上方へ突き出して配置された柱状の構造部材である。
サイドシル３５は、Ａピラー３４の下端部から車両後方側へ延び、フロアパネル３１の側端部に沿って配置された梁状の構造部材である。
【００２２】
フロントサイドフレーム４０は、キャビン３０のトーボード３２から車両前方側に突き出して配置された構造部材である。
フロントサイドフレーム４０は、エンジン１０の左右に１対が設けられるとともに、車幅方向内側の面部は、エンジン１０の側面部（水平対向エンジンの場合は、シリンダヘッドのタペットカバー）と間隔を隔てて対向して配置されている。
フロントサイドフレーム４０は、車両前後方向から見た断面形状が実質的に矩形の閉断面となっている。
【００２３】
ラジエータパネル５０は、エンジン１０の冷却水を冷却するラジエータコアＣやエアコンディショナのコンデンサ等を支持する枠状の構造体であって、エンジン１０の前方に配置されている。
ラジエータパネル５０の側端部は、フロントサイドフレーム４０の前端部近傍に固定されている。
【００２４】
バンパビーム６０は、車体前端部に設けられる外装部品である図示しないバンパフェイスの内側に設けられ、車幅方向にほぼ沿って伸びた梁状の部材である。
バンパビーム６０は、車両の前面衝突時に、荷重を受け車体後方側に伝達するものである。
バンパビーム６０は、バンパフェイスの造形に合わせて、前方側が凸となる弧状に湾曲して形成されている。
バンパビーム６０は、その後面部から突き出して形成された基部６１を有し、基部６１の後端部は、フロントサイドフレーム４０の前端部に固定されている。
【００２５】
フロントサブフレーム７０は、フロントサイドフレーム４０よりも下方に配置されるとともに、エンジン１０を支持する図示しないエンジンマウント、フロントサスペンション９０のロワアーム９２等が取り付けられる構造部材である。
フロントサブフレーム７０は、例えば、矩形の枠状に形成されるとともに、前端部に設けられた取付箇所７１（図２参照）、及び、後端部に設けられた図示しない取付箇所を、上下方向に配置される図示しないボルトによってフロントサイドフレーム４０等に締結することによって車体に取り付けられている。
【００２６】
フロントホイール８０は、例えばアルミニウム系合金製のリムにタイヤを装着して構成される車両の前輪である。
フロントホイール８０は、図示しないハブベアリングハウジングによって回転可能に支持されるとともに、車軸よりも前方に配置されたタイロッドＴを押し引きすることによって、操向（転舵）可能となっている。タイロッドＴは、ステアリングシャフトを介してステアリングホイールに接続されたステアリングギヤボックスに連結され、ドライバのステアリング操作に応じて、車幅方向にほぼ沿って駆動される。
なお、図１、図２においては、タイヤは図示を省略し、図３乃至図６においては、リムは図示を省略している。
【００２７】
フロントサスペンション９０は、フロントホイール８０を支持するハブベアリングハウジングを、車体に対して揺動可能に支持するものである。
フロントサスペンション９０は、例えば、マクファーソンストラット式のものであり、ストラット９１、ロワアーム９２等を有して構成されている。
ストラット９１（図２参照）は、車体のエンジンルーム上部側方に設けられたストラットアッパマウント９３と、ハブベアリングハウジングの上部に設けられた図示しないブラケットとの間に設けられている。
ストラット９１は、ショックアブソーバ（ダンパ）及びスプリングをユニット化したものである。
ロワアーム９２（図１等参照）は、フロントサブフレーム７０とハブベアリングハウジングの下部との間に設けられ、これらに対して相互に回動可能となっている。
【００２８】
また、車体は、以下説明する荷重伝達ガセット１００を備えている。
荷重伝達ガセット１００は、フロントサイドフレーム４０の前端部近傍における車幅方向外側の領域に配置されている。
荷重伝達ガセット１００は、閉断面を有する梁状に形成されるとともに、前端部１０１が後端部１０２に対して車幅方向外側となるように、車両前後方向に対して前開きに傾斜して配置されている。
【００２９】
荷重伝達ガセット１００の前端部１０１は、バンパビーム６０の後面部に対して、間隔を有して対向して配置されている。
この前端部１０１は、フロントサイドフレーム４０から車幅方向外側へ突き出したステー１０３（図１参照）によって支持されている。
荷重伝達ガセット１００の後端部１０２は、フロントサイドフレーム４０の車幅方向外側の側面部に、例えば車幅方向外側から挿入されるボルトによって締結され、固定されている。
この後端部１０２の車両前後方向における位置は、エンジン１０の前後方向中央よりも車両前方側に配置される。
【００３０】
フロントサイドフレーム４０における荷重伝達ガセット１００の後端部１０２の固定箇所近傍には、フロントサイドフレーム４０の内部断面を仕切って実質的に閉塞するセパレータ４１（図１参照）が設けられている。
【００３１】
また、フロントサイドフレーム４０の車幅方向外側の側面部において、荷重伝達ガセット１００の後端部１０２の固定箇所の後方側に隣接する領域には、ビード４２が形成されている。
ビード４２は、フロントサイドフレーム４０の側面部を凹ませて上下方向に延在する溝状に形成されている。
ビード４２は、前後方向に離間して例えば２本が設けられている。
このビード４２は、フロントサイドフレーム４０の剛性を局所的に低下させて、スモールオーバーオールオフセット衝突時にフロントサイドフレーム４０を屈曲させる起点となり、フロントサイドフレーム４０の屈曲を促進するものである。
このフロントサイドフレーム４０の屈曲については、後に詳しく説明する。
【００３２】
以下、実施例１の車体前部構造におけるスモールオーバーラップオフセット衝突時の車体変形挙動について説明する。
図３乃至図６は、フロントサイドフレーム４０に対して車幅方向外側に障害物Ｂが衝突した場合の車体各部の挙動を時系列で示すものである。
【００３３】
図３に示すように、車両に対して前方側から接近する障害物Ｂは、その中央部の車幅方向における位置が、フロントサイドフレーム４０の前端部よりも外側に配置されている。
この障害物は、例えば、電柱や信号機等のポールを模した円筒状のものである。
図４に示すように、障害物Ｂがバンパビーム６０の側部に衝突すると、バンパビーム６０は基部６１を介して、フロントサイドフレーム４０に対して軸方向の圧縮荷重を伝達する。
また、バンパビーム６０は、基部６１よりも外側の領域において、側端部が後退する方向に曲げ変形する。
これによって、バンパビーム６０の後面部は荷重伝達ガセット１００の前端部１０１と当接し、荷重伝達ガセット１００に対して軸方向の圧縮荷重を伝達する。
荷重伝達ガセット１００からの荷重は、後端部１０２を経由してフロントサイドフレーム４０の側面部に対して、車幅方向内側に押し込むように作用する。
この押し込み荷重によって、フロントサイドフレーム４０は、ビード４２の周辺を折れの起点として、これよりも前方側が車幅方向内側に変位する方向の屈曲変形を開始する。
そして、変形量が所定以上となると、エンジン１０におけるフロントサイドフレーム４０と対向する箇所であるシリンダヘッド（タペットカバー）と当接する。
【００３４】
そして、図５、図６に示すように、車体に対する障害物Ｂの相対後退量（障害物Ｂに対する車体の相対前進量）がさらに大きくなると、上述したフロントサイドフレーム４０の車幅方向内側への変形量もさらに大きくなり、フロントサイドフレーム４０は、エンジン１０を車幅方向における反対側（障害物Ｂと衝突していない側）に押圧し、変位させる。
このとき、フロントサイドフレーム４０の前端部における未圧壊領域は、その軸方向力によってエンジン１０の車幅方向外側への押し出しを促進する。
このように、車両のなかでも重量物であるエンジン１０が車幅方向反対側へ押されることによって、車両は、障害物Ｂを回避する方向へ向きを変え、キャビン３０のＡピラー３４、サイドシル３５等への伝達荷重が軽減される。
また、フロントサイドフレーム４０は、上述した屈曲変形によって、それ自体がエネルギを吸収する機能を発揮する。
【００３５】
以上説明したように、実施例１によれば、以下の効果を得ることができる。
（１）スモールオーバーラップオフセット衝突時に、荷重伝達ガセット１００からフロントサイドフレーム４０に伝達される荷重によって、フロントサイドフレーム４０を屈曲変形させ、フロントサイドフレーム４０によってエンジン１０を反対側のフロントサイドフレーム４０側へ押すことができる。
車両は、重量物であるエンジン１０が押されることによって、障害物Ｂから逃げる方向に進行方向を変え、これによってキャビン３０への入力荷重は軽減される。
例えば、発明者が実施したＣＡＥ解析結果においては、サイドシルへの伝達荷重が約半分となることが確認された。
さらに、キャビンの補強によって耐スモールオーバーラップオフセット衝突性能の向上を図った従来技術に対して、仮に同等の性能を得るものとすると、既存車体に対する重量増加を例えば約１／３とすることができ、走行性能、燃費性能、コスト等の面で有利である。
（２）フロントサイドフレーム４０の屈曲変形時に、フロントサイドフレーム４０がエネルギを吸収することによって、車体の他部に伝達されるエネルギ量の低減を図ることができる。
（３）フロントサイドフレーム４０にビード４２を形成したことによって、上述したフロントサイドフレーム４０の屈曲変形の再現性を向上し、上述した効果を確実に得ることができる。
（４）フロントサイドフレーム４０にセパレータ４１を設けたことによって、荷重伝達ガセット１００からフロントサイドフレーム４０を介してエンジン１０に伝達される荷重のロスを少なくし、エンジン１０を確実に押すことができる。
（５）荷重伝達ガセット１００の前端部１０１とバンパビーム６０の後面部との間に隙間を設けたことによって、車両の軽衝突時に荷重伝達ガセット１００からフロントサイドフレーム４０に荷重が伝達されてダメージが発生することを防止し、軽衝突時の修理の容易化、修理コストの低下を図ることができる。
【実施例２】
【００３６】
次に、本発明を適用した車体前部構造の実施例２について説明する。
なお、以下説明する実施例において、従前の実施例と実質的に同様の箇所については同じ符号を付して説明を省略し、主に相違点について説明する。
図７は、実施例２の車体前部構造の構成を示す模式図である。
実施例２においては、エンジン１０は、例えば横置き搭載される直列又はＶ型のエンジンであって、車幅方向における端部を、フロントサイドフレーム４０から車幅方向内側に突き出して配置されたエンジンマウントＭによって支持されている。
【００３７】
実施例２においては、荷重伝達ガセット１００の後端部１０２の車両前後方向における位置を、エンジンマウントＭと実質的に一致するか、あるいは、エンジンマウントＭと隣接する前方に配置している。
以上説明した実施例２においても、スモールオーバーラップオフセット衝突時にフロントサイドフレーム４０を屈曲変形させ、エンジンマウントＭを介してエンジン１０を車幅方向反対側に押すことによって、上述した実施例１の効果と実質的に同様の効果を得ることができる。
【実施例３】
【００３８】
次に、本発明を適用した車体前部構造の実施例３について説明する。
図８は、実施例３の車体前部構造の構成を示す模式図である。
実施例３においては、エンジン１０は、縦置き搭載される直列又はＶ型のエンジンであって、フロントサイドフレーム４０以外の箇所に設けられたエンジンマウントによって支持されている。
実施例３においては、荷重伝達ガセット１００の後端部１０２とフロントサイドフレーム４０との固定箇所を、エンジン１０の前後方向中央ＣＬに対して車両前方側に配置している。
以上説明した実施例３においても、スモールオーバーラップオフセット衝突時に、フロントフレーム４０を屈曲させてエンジン１０を車幅方向における反対側に押すことによって、上述した実施例１の効果と実質的に同様の効果を得ることができる。
なお、図８に破線で示すような、フロントサイドフレーム４０にエンジンマウントＭを持たない横置き搭載エンジン車の場合であっても、エンジンの前後方向中央に対して車両前方側に荷重伝達ガセット１００の後端部１０２を配置することによって、実質的に同様の効果を得ることができる。
【００３９】
（変形例）
本発明は、以上説明した実施例に限定されることなく、種々の変形や変更が可能であって、それらも本発明の技術的範囲内である。
車体前部構造を構成する各部材の形状、構造、材質、配置等は上述した各実施例の構成に限定されず、適宜変更することができる。
例えば、各実施例においては、パワーユニットとしてエンジンをフロントサイドフレームによって押す構造としているが、例えばエンジンが横置き搭載されるパワートレーンの場合には、フロントサイドフレームに隣接するトランスミッションを押すようにしてもよい。
また、パワーユニットは、エンジン、トランスミッションに限らず、例えば駆動用電動モータや、コントロールユニットケース等であってもよい。
また、荷重伝達部材は、上述したような板金製のガセットに限らず、例えばパイプ材によって形成したり、アルミニウム合金等の鋳造品、鍛造品、コンポジット材等、いかなる材質、製法のものであってもよい。
また、各実施例では軽衝突を考慮してバンパビームと荷重伝達部材との間に隙間を設けているが、これらを直接結合してもよい。
また、荷重伝達部材の前端部をバンパフェイスの直後に配置し、バンパビームを介さずに荷重伝達を行うようにしてもよい。
【符号の説明】
【００４０】
１０    エンジン                    ２０    トランスミッション
３０    キャビン                    ３１    フロアパネル
３２    トーボード                  ３３    フロアトンネル
３４    Ａピラー                    ３５    サイドシル
４０    フロントサイドフレーム      ４１    セパレータ
４２    ビード                      ５０    ラジエータパネル
Ｃ    ラジエータコア              ６０    バンパビーム
６１    基部                        ７０    フロントサブフレーム
７１    取付箇所                    ８０    フロントホイール
９０    フロントサスペンション      ９１    ストラット
９２    ロワアーム                  ９３    ストラットアッパマウント
Ｔ    タイロッド
１００    荷重伝達ガセット          １０１    前端部
１０２    後端部                    １０３    ステー
Ｂ    障害物                        Ｍ    エンジンマウント
【図１】
0005544388.tif 000002
【図２】
0005544388.tif 000003
【図３】
0005544388.tif 000004
【図４】
0005544388.tif 000005
【図５】
0005544388.tif 000006
【図６】
0005544388.tif 000007
【図７】
0005544388.tif 000008
【図８】
0005544388.tif 000009